(57)【特許請求の範囲】
【請求項１】
室外から空気を吸い込み室外へ排出する第１の空気流路と、室外から空気を吸い込み送風パイプを介して室内へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともにこの容器内に凝縮水を加熱する加熱手段と、前記容器内に凝縮水を加熱する加熱手段により昇温された高湿空気を室内外ダクトを介して搬送する加湿ファンとを設けたことを特徴とする空気調和機の加湿ユニット。
【請求項２】
室外から空気を吸い込み室外へ排出する第１の空気流路と、室外から空気を吸い込み送風パイプを介して室内へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともに前記冷却器と容器との間で前記第２の空気流路から分岐され、前記容器との間に形成される通風路を設け、この通風路に前記容器内に空気を吹き込むポンプを設けたことを特徴とする空気調和機の加湿ユニット。
【請求項３】
前記第２の空気流路における送風パイプの出口側開口を空気調和機の室内機に配置したことを特徴とする請求項１または２に記載の空気調和機の加湿ユニット。
【請求項４】
室外から空気を吸い込み室外へ排出する第１の空気流路と、室外から空気を吸い込み室外へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともにこの容器内に設けられたドレン用ヒータにより昇温された凝縮水を空気調和機の室内機に搬送する配管を設け、この配管の出口側開口に透湿膜を設けたことを特徴とする空気調和機の加湿ユニット。
【発明の詳細な説明】
【０００１】
【発明の属する技術分野】
本発明は、加湿機能を備えた空気調和機に関するものである。
【０００２】
【従来の技術】
図７、図８は、例えば特開平８−１２８６８１号公報に開示された従来の加湿機能付き空気調和機を示す。図７は加湿機能付き空気調和機の構成図を示し、図７において、５１は加湿機能付き空気調和機の室内機であり、内部に室内機熱交換器５２、室内送風機５３を配設している。５９は室外機であり、内部に室外機熱交換器６０、室外送風機６１、加湿ユニット６２などを配設している。
【０００３】
図８は前記加湿ユニット６２の具体的な構成例を示し、加湿ユニット６２は送風ファン６３、再生用加熱ヒータ６４、ハニカム形状またはコルゲート状に成型された吸湿材６５などによって構成されている。
【０００４】
まず、室外空気から水分を吸湿材６５に吸着する行程を図７、図８を用いて説明する。
吸気切換バルブ６６が処理用空気通路７０側に、また排気切換バルブ６７が処理排出空気通路７１側に切換えられた状態で、送風ファン６３が回ると室外空気が室外吸気口６８から吸気通路７２を通り吸湿材６５に届く。この時再生用加熱ヒータ６４は通電されていない。そして、吸湿材６５を通過しながら水分が吸湿材６５に吸着されて乾燥空気になった室外空気は、排気通路７３、処理排出空気通路７１を通って処理空気排出口６９から排出される。
【０００５】
一定時間経過して吸湿材６５が水分を十分に吸着した後、吸気切換バルブ６６が脱着再生用空気通路５７側に、また排気切換バルブ６７を再生排出空気通路５８側に切換えられた状態で、送風ファン６３が回ると室内空気が室内吸気口５４から吸気通路７２を通り再生用加熱ヒータ６４に届く。この時通電されている再生用加熱ヒータ６４によって１００〜１４０℃程度に加熱された室内空気は、吸湿材６５を通過しながら吸湿材６５に吸着していた水分を脱着し、湿り空気となって、排気通路７３、再生排出空気通路５８を通り再生空気排出口５５から排出される。尚、前記脱着再生用空気通路５７と再生排出空気通路５８および冷媒を搬送する銅パイプ（図示せず）、電気配線（図示せず）が、室内機５１と室外機５９とをつなぐ配管パイプ５６の中を通っている。
【０００６】
そして、一定時間経過して吸湿材６５に吸着していた水分が脱着してしまった後に、また前述の吸着行程にもどり、この吸着と脱着再生のサイクルを繰り返す。こうして室外空気の水分を例えば暖房運転時の室内送風機５３による室内空気にミックスして室内に排出することで加湿する。
【０００７】
【発明が解決しようとする課題】
上記のように構成された従来の加湿機能付き空気調和機は、吸着剤６５を通過する風路が常に一つであり、在来の回転型吸着剤のように連続して吸着脱着工程を行うことが不可能である。すなわち、連続して加湿が行えないという問題があった。また、室内の空気を再生用加熱ヒータ６４で加熱するので加湿量は稼ぐことは出来るものの、室内機５１側と室外機５９側とを結ぶ脱着再生用空気通路５７と再生排出空気通路５８の通風パイプが２本になることにより、壁貫通の穴径が大きくないと通風パイプ内の圧力損失により騒音が室内まで伝搬するという問題があった。さらに、室外機熱交換器６０の風上側に加湿ユニット６２を配置しているため、風路の圧力損失が増え室外送風機６１の動力を増すことになり、省エネが得られないという問題があった。
【０００８】
本発明は上記の問題点を解消するためになされたもので、加湿空気の室内外搬送動力を低減し、低騒音化が図れる連続加湿機能を備えた空気調和機を提供することを目的とする。
【０００９】
【課題を解決するための手段】
本発明に係る請求項１記載の空気調和機の加湿ユニットは、室外から空気を吸い込み室外へ排出する第１の空気流路と、室外から空気を吸い込み送風パイプを介して室内へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともにこの容器内に凝縮水を加熱する加熱手段と、前記容器内に凝縮水を加熱する加熱手段により昇温された高湿空気を室内外ダクトを介して搬送する加湿ファンとを設けたものである。
【００１０】
また、請求項２記載の空気調和機の加湿ユニットは、室外から空気を吸い込み室外へ排出する第１の空気流路と、室外から空気を吸い込み送風パイプを介して室内へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともに前記冷却器と容器との間で前記第２の空気流路から分岐され、前記容器との間に形成される通風路を設け、この通風路に前記容器内に空気を吹き込むポンプを設けたものである。
【００１２】
また、請求項３記載の空気調和機の加湿ユニットは、前記第２の空気流路における送風パイプの出口側開口を空気調和機の室内機内に配置したものである。
【００１３】
また、請求項４記載の空気調和機の加湿ユニットは、室外から空気を吸い込み室外へ排出する第１の空気流路と、室外から空気を吸い込み室外へ排出する第２の空気流路と、この二つの空気流路に跨って配置され空気中の水分を吸着する吸着材が設けられた回転式加湿体と、前記第２の空気流路における加湿体の上流側に設けられた加熱手段とを備え、前記第２の空気流路における前記加湿体の下流側に冷却器とこの冷却器の凝縮水を溜める容器とを配置するとともにこの容器内に設けられたドレン用ヒータにより昇温された凝縮水を空気調和機の室内機に搬送する配管を設け、この配管の出口側開口に透湿膜を設けたものである。
【００１４】
【発明の実施の形態】
実施の形態１．
図１は、本発明の実施の形態における空気調和機の概略構成図である。
図１において、３０は室内機であり、内部に室内機熱交換器３１、室内機ファン３２を配設している。２０は室外機、２１は前記室外機２０の上部に配置された加湿ユニットである。
前記室外機２０は、図示していないが周知の通り室外機熱交換器、室外送風機などを備え、室外吸込口（図示せず）から外気を吸込み、熱交換し排出口（図示せず）から屋外へ排気される。前記加湿ユニット２１内で生成された加湿空気は加湿ユニット２１内の送風手段により、壁４０に設けた壁穴４１を連通して前記室内機３０と加湿ユニット２１とをつなぐ送風用の室内外ダクト８で搬送され、室内機３０にて室内機熱交換器３１の吸入側に吸入され、室内機ファン３２により室内に加湿される。
一般に加湿量は次の（１）式で求める。
Ｗ＝ｍ・△Ｘ――――――――――（１）
ここで、Ｗ(kg/h)：加湿量、ｍ(kg/h)：加湿空気流量、△Ｘ(kg/kg')：加湿空気と外気の絶対湿度差である。
上記加湿量Ｗを増やすには、加湿空気流量ｍを増やすか絶対湿度差△Ｘを増やすかである。加湿空気流量ｍを増やすと良いように考えられるが、室内外の壁４０に開けられる壁穴４１は、あまり大きく出来ないのが現状である。この壁穴４１には通常、図示しないが冷媒配管、室内機ドレンパイプ、電気配線が既に通っており、太いダクトを通すことは困難な場合が多い。室内外ダクト８が細い場合、加湿空気流量を増やしていくと、圧力損失が大きくなり、加湿ファン７の動力が増えてしまい、かつ室内への騒音増を招くことになってしまう。そこで、絶対湿度差△Ｘを増やし、できるだけ高湿の加湿空気を搬送することができれば、細い室内外ダクト８で低騒音化を図ることができる。
【００１５】
図２（ａ）は前記加湿ユニット２１の加湿機構概略構成図である。
この加湿ユニット２１は、仕切壁１２で二分して形成した第１の空気流路１０（以下、吸着風路という）および第２の空気流路１１（以下、脱着風路という）を配置し、前記両風路１０、１１の軸方向に通気性を有するハニカム構造の空気中の水分を吸着する吸着材が設けられた回転式加湿体１（以下、デシカントロータという）を、前記吸着風路１０および脱着風路１１を遮るように仕切壁１２に貫設させて、前記吸着風路１０は前記デシカントロータ１と吸着ファン２を配置して形成され、一方の脱着風路１１は、加熱ヒータ３、前記デシカントロータ１、冷却器４、ドレン用ヒータ６を備えたドレンタンク５および前記室内機３０へ加湿空気を送風する加湿ファン７を配置して形成される。そして、前記加湿ファン７と前記室内機３０とが前記室内外ダクト８によりつながれる。尚、前記デシカントローター１はハニカム構造の多孔質基材に、吸着材として、例えばゼオライト、シリカゲル、活性炭等を塗布あるいは表面処理あるいは含浸したものを使用する。
【００１６】
上記のように構成された加湿ユニットの動作について、図２（ａ）の加湿機構概略構成図をもとに説明する。
前記吸着風路１０では外気（Ａ）を吸込み、デシカントローター１に水分を吸着させ、乾燥空気（Ｂ）を吸着ファン２により屋外に排気する。一方、前記脱着風路１１では、加湿ファン７により外気（Ａ）を吸い込み加熱ヒータ３により昇温され加熱空気（Ｃ）になる。そして前記デシカントローター１が回転することにより、前記吸着風路１０で吸着した水分が脱着風路１１側に移行し、前記加熱空気（Ｃ）により水分を脱着して高湿空気（Ｄ）となる。さらに、絶対湿度差を上げるため、高湿空気（Ｄ）を冷却器４により冷却して結露させドレンをドレンタンク５に貯める（Ｅ）。ドレンタンク５内にはドレン用ヒーター６が備えられており、このヒーター６により昇温され高湿空気（Ｆ）となる。この高湿空気（Ｆ）が前記加湿ファン７により、前記室内機３０とつなぐ前記室内外ダクト８で搬送され、室内機３０にて室内機熱交換器３１の吸入側に吸入され、前記室内機ファン３２により室内に加湿される。図２（ｂ）はこれらの状態変化を空気線図上で表した図である。横軸が温度Ｔ、縦軸が絶対湿度Ｘを表す。
【００１７】
従来の加湿方式では図２（ｂ）中のＤにおける絶対湿度差△Ｘ´に加湿流量を乗じて加湿量を演算している。本実施の形態での絶対湿度差は図２（ｂ）中の△Ｘとなり大幅に絶対湿度差がアップする。もし従来の加湿方式と同じ加湿量であるとしたら絶対湿度差△Ｘが大きいので、加湿流量ｍを小さくできるため、加湿ファン７の動力を低減できるとともに室内外ダクト８を細くでき、圧損低下により低騒音化を図ることができる。
【００１８】
以上のように本実施の形態においては、デシカントローターで脱着した加湿空気を一旦冷却凝縮させ再昇温させて絶対湿度を大幅にアップさせることにより、加湿流量を小さくできるため加湿ファンの動力が低減でき、また、室内外ダクトの圧損が低減するので室内への低騒音化が図れるものである。
【００１９】
尚、暖房運転の場合前記室外機２０の室外機熱交換器が蒸発器として作動しており、前記冷却器４を室外機熱交換器と兼用するようにしてもよい。
【００２０】
実施の形態２．
本実施の形態における空気調和機の概略構成図は図１と同様であるため、ここでの図示及び説明を省略する。
図３（ａ）は、本発明の実施の形態２における加湿ユニット２１の加湿機構概略構成図である。尚、図３（ａ）において、上記実施の形態１図２（ａ）の加湿機構概略構成図と同一または相当部分は同一符号を付し説明を省略する。
図３（ａ）において、９は前記脱着風路１１に設けられた脱着ファンであり、この脱着ファン９で外気を吸入し、吸入した外気を前記加熱ヒータ３で加熱し前記デシカントローター１で脱着する。１３は前記冷却器４の風下側で分岐され、前記ドレンタンク５との間に形成される通風路１４に設けられ、空気を前記ドレンタンク５内の凝縮水に吹き入れる空気ポンプである。
【００２１】
上記のように構成された加湿ユニットの動作について、図３（ａ）の加湿機構概略構成図をもとに説明する。
前記吸着風路１０では外気（Ａ）を吸込み、デシカントローター１に水分を吸着させ、乾燥空気（Ｂ）を吸着ファン２により屋外に排気する。一方、脱着風路１１では、脱着ファン９により外気（Ａ）を吸い込み加熱ヒータ３により昇温され加熱空気（Ｃ）になる。そして前記デシカントローター１が回転することにより、前記吸着風路１０で吸着した水分が脱着風路１１側に移行し、前記加熱空気（Ｃ）により水分を脱着して高湿空気（Ｄ）となる。さらに、絶対湿度差を上げるため、高湿空気（Ｄ）を冷却器４により冷却して結露させドレンをドレンタンク５に貯める（Ｅ）。ドレン以外の一部の空気は分離され通風路１４から空気ポンプ１３に吸い込まれ、そして前記ドレンタンク５内の凝縮水に吹き込まれ、このときドレンタンク５内のドレン用ヒーター６により昇温された凝縮水との直接接触により高湿空気（Ｆ）となる。この高湿空気（Ｆ）が前記室内機３０とつなぐ前記室内外ダクト８で搬送され、室内機３０にて室内機熱交換器３１の吸入側に吸入され、前記室内機ファン３２により室内に加湿される。図３（ｂ）はこれらの状態変化を空気線図上で表した図である。横軸が温度Ｔ、縦軸が絶対湿度Ｘを表す。
【００２２】
前述したように従来の加湿方式では図３（ｂ）中のＤにおける絶対湿度差△Ｘ´に加湿流量を乗じて加湿量を演算している。本実施の形態での絶対湿度差は図３（ｂ）中のΔＸとなり大幅に絶対湿度差がアップする。もし従来の加湿方式と同じ加湿量であるとしたら絶対湿度差△Ｘが大きいので、加湿流量ｍを小さくできるため、室内外ダクト８を細くでき、圧損低下により低騒音化を図ることができる。
【００２３】
以上のように本実施の形態においては、デシカントローターで脱着した加湿空気を一旦冷却凝縮させて再昇温させ、さらに空気ポンプにより空気と凝縮水を直接接触させることにより高湿空気を生成させて、絶対湿度を大幅にアップさせることにより加湿流量を小さくできるため、室内外ダクトの圧損が低減するので室内への低騒音化が図れるものである。
【００２４】
尚、暖房運転の場合前記室外機２０の室外機熱交換器が蒸発器として作動しており、上記実施の形態１同様に前記冷却器４を室外機熱交換器と兼用するようにしてもよい。
【００２５】
実施の形態３．
本実施の形態における空気調和機の概略構成図は図１と同様であるため、ここでの図示及び説明を省略する。
図４（ａ）は、本発明の実施の形態３における加湿ユニット２１の加湿機構概略構成図である。尚、図４（ａ）において、上記実施の形態１の図２（ａ）加湿機構概略構成図と同一または相当部分には同一符号を付し説明を省略する。
図４（ａ）において、１５は前記ドレンタンク５内に設けられた超音波振動子である。
【００２６】
上記のように構成された加湿ユニットの動作について、図４（ａ）の加湿機構概略構成図をもとに説明する。
前記吸着風路１０では外気（Ａ）を吸込み、デシカントローター１に水分を吸着させ、乾燥空気（Ｂ）を吸着ファン２により屋外に排気する。一方、前記脱着風路１１では、加湿ファン７により外気（Ａ）を吸い込み加熱ヒータ３により昇温され加熱空気（Ｃ）になる。そして前記デシカントローター１が回転することにより、前記吸着風路１０で吸着した水分が脱着風路１１側に移行し、前記加熱空気（Ｃ）により水分を脱着して高湿空気（Ｄ）となる。さらに、絶対湿度差を上げるため、高湿空気（Ｄ）を冷却器４により冷却して結露させドレンをドレンタンク５に貯める（Ｅ）。そしてドレンタンク５内に設けられた超音波振動子１５を稼動させ、この超音波振動子１５により過飽和の高湿空気（Ｆ）となる。この高湿空気（Ｆ）が前記加湿ファン７により、前記室内機３０とをつなぐ前記室内外ダクト８で搬送され、室内機３０にて室内機熱交換器３１の吸入側に吸入され、前記室内機ファン３２により室内に加湿される。図４（ｂ）はこれらの状態変化を空気線図上で表した図である。横軸が温度Ｔ、縦軸が絶対湿度Ｘを表す。
【００２７】
前述したように従来の加湿方式では図４（ｂ）中のＤにおける絶対湿度差△Ｘ´に加湿流量を乗じて加湿量を演算している。本実施の形態での絶対湿度差は図４（ｂ）中の△Ｘとなり大幅に絶対湿度差がアップする。もし従来の加湿方式と同じ加湿量であるとしたら絶対湿度差△Ｘが大きいので加湿流量ｍを小さくできるため、加湿ファン７の動力を低減できるとともに室内外ダクト８を細くでき、圧損低下により低騒音化を図ることができる。
【００２８】
以上のように本実施の形態においては、デシカントローターで脱着した加湿空気を一旦冷却凝縮させ、さらに超音波振動子により過飽和空気とすることにより高湿空気を生成させ、絶対湿度を大幅にアップさせることにより加湿流量を小さくできるため、加湿ファンの動力を低減できる。また、室内外ダクトの圧損が低減するので室内への低騒音化が図れるものである。
【００２９】
尚、暖房運転の場合前記室外機２０の室外機熱交換器が蒸発器として作動しており、上記実施の形態１同様に前記冷却器４を室外機熱交換器と兼用するようにしてもよい。
【００３０】
また、前記室内外ダクト８内での結露を防止するため、室内外ダクト８の吸い込み前に加熱ヒーターを設けるようにしてもよい。
【００３１】
実施の形態４．
図５は、本実施の形態における空気調和機の概略構成図である。
尚、図５において、上記実施の形態１の図１に示す空気調和機の概略構成図と同一または相当部分には同一符号を付して説明を省略する。
図６（ａ）は、本実施の形態における加湿ユニット２１の加湿機構概略構成図である。尚、図６（ａ）において、上記実施の形態２の図３（ａ）加湿機構概略構成図と同一または相当部分には同一符号を付して説明を省略する。
図５、図６（ａ）において、１６は前記タンク５内の凝縮水を搬送する送水ポンプ、１７は前記ドレンタンク５内と前記室内機３０との間に前記送水ポンプ１６を介して配置された水配管であり、該水配管１７の前記室内機３０の出口側開口には透湿膜１８が設けられている。
【００３２】
上記のように構成された加湿ユニットの動作について図６（ａ）の加湿機構概略構成図をもとに説明する。
前記吸着風路１０では外気（Ａ）を吸込み、デシカントローター１に水分を吸着させ、乾燥空気（Ｂ）を吸着ファン２により屋外に排気する。一方、前記脱着風路１１では、脱着ファン９により外気（Ａ）を吸い込み加熱ヒータ３により昇温され加熱空気（Ｃ）になる。そして前記デシカントローター１が回転することにより、吸着風路１０で吸着した水分が脱着風路１１側に移行し、前記加熱空気（Ｃ）により水分を脱着して高湿空気（Ｄ）となる。さらに、絶対湿度差を上げるため、高湿空気（Ｄ）を冷却器４により冷却して結露させドレンをドレンタンク５に貯める（Ｅ）。ドレン以外の空気は分離され屋外に排気される。そしてドレンタンク５内にはドレン用ヒーター６が備えられており、このヒーター６により昇温された凝縮水を送水ポンプ１６により汲み上げて水配管１７を通して、前記室内機３０の例えば吸込み側に設けた透湿膜１８に搬送する。透湿膜１８では水分がしみ出し、室内機ファン３２により室内に加湿される（Ｆ）。図６（ｂ）はこれらの状態変化を空気線図上で表した図である。横軸が温度Ｔ、縦軸が絶対湿度Ｘを表す。
【００３３】
前述したように従来の加湿方式では図６（ｂ）中のＤにおける絶対湿度差△Ｘ´に加湿流量を乗じて加湿量を演算している。本実施の形態での絶対湿度差は図６（ｂ）中の△Ｘとなり大幅に絶対湿度差がアップする。もし従来の加湿方式と同じ加湿量であるとしたら絶対湿度差△Ｘが大きく、また水分のまま室内機３０側に搬送できるので水配管１７を細くできるとともに、空気を搬送しないので低騒音化を図ることができるものである。
【００３４】
以上のように本実施の形態においては、デシカントローターで脱着した加湿空気を一旦冷却凝縮させて再昇温させ、凝縮水のまま室内機に搬送するので水配管を細くすることができるとともに、空気を搬送しないので低騒音化を図ることができるものである。
【００３５】
尚、暖房運転場合、前記室外機２０の室外機熱交換器が蒸発器として作動しており、上記実施の形態１同様に前記冷却器４を室外機熱交換器と兼用するようにしてもよい。
【００３６】
【発明の効果】
以上のように本発明に係る請求項１の空気調和機の加湿ユニットは、第２の空気流路の回転式加湿体で脱着した加湿空気を一旦冷却凝縮させ再昇温させて絶対湿度をアップさせるようにしたので、加湿流量を小さくできるため加湿空気の搬送動力が低減でき、また、送風用の室内外ダクトの圧損が低減するので室内への低騒音化が図れる。
【００３７】
また、請求項２の空気調和機の加湿ユニットは、前記第２の空気流路の回転式加湿体で脱着した加湿空気を一旦冷却凝縮させて再昇温させ、空気ポンプにより空気と凝縮水を直接接触させることにより高湿空気を生成させて絶対湿度をアップさせるようにしたので、加湿流量を小さくできるため送風用の室内外ダクトの圧損が低減するので、上記請求項１同様に室内への低騒音化が図れる。
【００３９】
また、請求項３の空気調和機の加湿ユニットは、前記第２の空気流路における送風用の室内外ダクトの出口側開口を空気調和機の室内機内に配置して、加湿空気を搬送するようにしたので、従来例のように加湿するための室内機側と室外機側とを結ぶ通風パイプが２本とも必要とせず、よって壁貫通の穴径を小さくでき工事性、美観性のよい空気調和機が得られる。
【００４０】
また、請求項４の空気調和機の加湿ユニットは、前記第２の空気流路の回転式加湿体で脱着した加湿空気を一旦冷却凝縮させて再昇温させ、凝縮水のまま室内機に搬送して加湿するようにしたので、配管を細くすることができるとともに、空気を搬送しないので低騒音化を図ることができる。
【図面の簡単な説明】
【図１】  この発明の実施の形態１における空気調和機の概略構成図である。
【図２】  （ａ）はこの発明の実施の形態１に係る加湿ユニットの加湿機構概略構成図で、（ｂ）は状態変化を表した図である。
【図３】  （ａ）はこの発明の実施の形態２に係る加湿ユニットの加湿機構概略構成図で、（ｂ）は状態変化を表した図である。
【図４】  （ａ）はこの発明の実施の形態３に係る加湿ユニットの加湿機構概略構成図で、（ｂ）は状態変化を表した図である。
【図５】  この発明の実施の形態４における空気調和機の概略構成図である。
【図６】  （ａ）はこの発明の実施の形態４に係る加湿ユニットの加湿機構概略構成図で、（ｂ）は状態変化を表した図である。
【図７】  従来の加湿機能付空気調和機の概略構成図である。
【図８】  図７の加湿ユニットの要部概略構成図である。
【符号の説明】
１  デシカントローター、  ２  吸着ファン、  ３  加熱ヒーター、  ４  冷却器、  ５  ドレンタンク、  ６  ドレン用ヒーター、  ７  加湿ファン、  ８室内外ダクト、  ９  脱着ファン、  １０  吸着風路、  １１  脱着風路、  １２  仕切壁、  １３  空気ポンプ、  １５  超音波振動子、  １６  送水ポンプ、  １７  水配管、  １８  透湿膜、  ２０  室外機、  ２１  加湿ユニット、  ３０  室内機、  ３１  室内機熱交換器、  ３２  室内機ファン、  ４０  壁、  ４１  壁穴。
【図１】
0004032742.tif 000002
【図２】
0004032742.tif 000003
【図３】
0004032742.tif 000004
【図４】
0004032742.tif 000005
【図５】
0004032742.tif 000006
【図６】
0004032742.tif 000007
【図７】
0004032742.tif 000008
【図８】
0004032742.tif 000009